(57)【特許請求の範囲】
【請求項１】
開位置と閉位置とを取ることが可能な開閉自在のフードカッターにおいて、
先端に第１刃部が形成された第１部材と、
この第１部材に連結部材を介して一体に形成され、先端に前記第１刃部に係合する第２刃部が形成された第２部材と、を備え、
前記第１部材に第１ガイドが設けられ、前記第２部材に前記第１ガイドに係合して前記カッターを閉位置に導く第２ガイドが設けられ、
前記第1ガイドと前記第２ガイドのガイド重なり位置関係は、前記第１刃部と前記第２刃部の刃部重なり位置関係と逆になって、
前記第１ガイドと前記第２ガイドとが係合する際、前記第１刃部と前記第２刃部とが互いに密接され、
前記第１刃部の基端に前記第１刃部から前記第２刃部側へ突出する第１突起が設けられ、前記第２刃部の基端に、前記第２刃部から前記第１刃部側へ突出するとともに、第１突起に当接して、前記第１刃部と前記第２刃部を刃部重なり位置関係まで案内する第２突起が設けられ、
前記第１突起と前記第２突起は前記フードカッターが開位置にあるとき、互いに離間し、前記フードカッターが閉じられる際、前記第１突起と前記第２突起が当接し、その後、前記第１刃部と前記第２刃部が前記刃部重なり位置関係をとり、前記第１ガイドと前記第２ガイドが前記ガイド重なり位置関係をとることを特徴とするフードカッター。
【請求項２】
フードカッターを一側又は他側を上方にして平坦面上に載置した場合、いずれの場合も、前記第１刃部と前記第２刃部は前記平坦面から離間することを特徴とする請求項１記載のフードカッター。
【請求項３】
前記フードカッターは、全体として合成樹脂により一体成形されていることを特徴とする請求項１または２記載のフードカッター。
【請求項４】
前記第１部材の側面に、第１押圧面が設けられ、前記第２部材の側面に、第２押圧面が設けられ、これら第１押圧面と第２押圧面を押圧することによって閉位置を取り、第１押圧面と第２押圧面の押圧を解除することによって開位置を取ることを特徴とする請求項１乃至３のいずれか記載のフードカッター。
【請求項５】
前記第１刃部と前記第１ガイドは第１所定間隔をおいて配置され、前記第２刃部と前記第２ガイドは第２所定間隔をおいて配置されていることを特徴とする請求項１乃至４のいずれか記載のフードカッター。
【発明の詳細な説明】
【技術分野】
【０００１】
本発明はフードカッターに係り、特に乳幼児用の食事を調理する際に使用するもので、とりわけ容易に洗浄することができ、かつ切れ味を良くすることができるフードカッターに関する。
【背景技術】
【０００２】
従来より、食材を幼児が食べ易い大きさにカットするため、ハサミ状のフードカッターが用いられている。この場合、カッターの切れ味を良くするため、左右の刃部が重なり合う際の密着性が求められている。
【０００３】
左右の刃部がヒンジ部で連結されているカッターにおいて、刃部の密着性が高いが、ヒンジ部等は細かな構造をもつため、カッターの洗浄を容易に行なうことはむずかしい。
【０００４】
他方、左右の刃部をヒンジ部で連結していないカッターの場合、カッターを容易に洗浄することは可能であるが、左右の刃部の密着性が低下して切れ味が劣ってしまう。この場合は、カット可能な食材が限定されてしまう。
【発明の概要】
【発明が解決しようとする課題】
【０００５】
本発明はこのような点を考慮してなされたものであり、洗浄性を高めることができ、かつ切れ味を向上させることができるフードカッターを提供することを目的とする。
【課題を解決するための手段】
【０００６】
本発明は開位置と閉位置とを取ることが可能な開閉自在のフードカッターにおいて、先端に第１刃部が形成された第１部材と、この第１部材に連結部材を介して一体に形成され、先端に前記第１刃部に係合する第２刃部が形成された第２部材と、を備え、前記第１部材に第１ガイドが設けられ、前記第２部材に前記第１ガイドに係合して前記カッターを閉位置に導く第２ガイドが設けられ、前記第1ガイドと前記第２ガイドのガイド重なり位置関係は、前記第１刃部と前記第２刃部の刃部重なり位置関係と逆になって、前記第１ガイドと前記第２ガイドとが係合する際、前記第１刃部と前記第２刃部とが互いに密接されることを特徴とするフードカッター。
【０００７】
本発明はフードカッターを一側又は他側を上方にして平坦面上に載置した場合、いずれの場合も、前記第１刃部と前記第２刃部は前記平坦面から離間することを特徴とするフードカッター。
【０００８】
本発明は前記第１刃部の基端に第１突起が設けられ、前記第２刃部の基端に、第１突起に当接して、前記第１刃部と前記第２刃部を刃部重なり位置関係まで案内する第２突起が設けられていることを特徴とするフードカッター。
【０００９】
本発明は前記フードカッターは、全体として合成樹脂により一体成形されていることを特徴とするフードカッター。
【００１０】
本発明は前記第１部材の側面に、第１押圧面が設けられ、前記第２部材の側面に、第２押圧面が設けられ、これら第１押圧面と第２押圧面を押圧することによって閉位置を取り、第１押圧面と第２押圧面の押圧を解除することによって開位置を取ることを特徴とするフードカッター。
【００１１】
本発明は前記第１刃部と前記第１ガイドは第１所定間隔おいて配置され、前記第２刃部と前記第２ガイドは第２所定間隔をおいて配置されていることを特徴とするフードカッター。
【発明の効果】
【００１２】
以上のように本発明によれば、容易に洗浄することができ、かつカットする際の切れ味を向上させることができる。
【図面の簡単な説明】
【００１３】
【図１】図１は本発明によるフードカッターを示す斜視図であって一側を上向きにした図。
【図２】図２はフードカッターを示す斜視図であって他側を上向きにした図。
【図３】図３はフードカッターを示す図であって一側を上向きにした図１と異なる方向からみた図。
【図４】図４はフードカッターを示す図であって一側からみた平面図。
【図５】図５はフードカッターを示す図であって他側からみた平面図。
【図６】図６はフードカッターを示す正面図。
【図７】図７はフードカッターを示す背面図。
【図８】図８はフードカッターを示す側面図。
【発明を実施するための形態】
【００１４】
以下、図面を参照して本発明の実施の形態について説明する。
【００１５】
図１乃至図８は本発明によるフードカッターの実施の形態を示す図である。
【００１６】
フードカッター１０は幼児用食材、例えば肉、野菜、めん類等をカットするものである。
【００１７】
このようなフードカッター１０は、ポリプロピレン等の合成樹脂により一体成形され、開位置（待機位置）と閉位置（カット位置）とを取ることができる。
【００１８】
図１乃至図８に示すように、フードカッター１０は、先端に第１刃部１２が形成された第１部材１１と、第１部材１１に連結部材３０を介して一体に形成され、先端に第１刃部１２に係合する第２刃部２２が形成された第２部材２１とを備えている。
【００１９】
また第１部材１１には第１刃部１２と第１所定間隔Ｌ１をおいて第１ガイド１４が設けられ、第２部材２１に第１ガイド１４に係合してフードカッター１０を閉位置に導く第２ガイド２４が第２刃部２２と第２所定間隔Ｌ２をおいて設けられている。
【００２０】
この場合、第１ガイド１４と第２ガイド２４のガイド重なり位置関係は、第１刃部１２と第２刃部２２の刃部重なり位置関係と逆になっている。
【００２１】
すなわち、図１において、第１部材１１の第１刃部１２は、第２部材２１の第２刃部２２の下方へくるよう第１刃部１２と第２刃部２２とが刃部重なり位置関係で重なり合い、第１部材１１の第１ガイド１４は第２部材２１の第２ガイド２４の上方へくるよう第１ガイド１４と第２ガイド２４がガイド重なり位置関係で重なり合う。
【００２２】
このように第１ガイド１４と第２ガイド２４のガイド重なり位置関係は、第１刃部１２と第２刃部２２の刃部重なり位置関係と逆になるため、第１ガイド１４と第２ガイド２４とが係合することにより、第１刃部１２と第２刃部２２とが互いに密接することができる。
【００２３】
さらにまた第１部材１１の第１刃部１２の基端には、第１突起１３が設けられ、第２部材２１の第２刃部２２の基端には第１突起１３に当接して第１刃部１２と第２刃部２２を刃部重なり位置関係まで案内する第２突起２３が設けられている。
【００２４】
また図１に示すように、フードカッター１０を一側が上方を向くよう平坦面Ｓ上に載置した場合、第１刃部１２と第２刃部２２は、平坦面Ｓから距離Ｌ３をもって離間している（図８参照）。さらにまた、図２に示すように、フードカッター１０を他側が上方を向くよう平坦面Ｓ上に載置した場合、第１刃部１２および第２刃部２２が平坦面Ｓから離間し、かつまた連結部材３０も平坦面Ｓから離間している。
【００２５】
また、第１部材１１の側面に第１押圧面１５が設けられ、第２部材２１の側面に第２押圧面２５が設けられ、これら第１押圧面１５と第２押圧面２５を押圧することにより、フードカッター１０は閉位置をとり、第１押圧面１５と第２押圧面２５の押圧を解除することにより、フードカッター１０はその弾性力により開位置に戻るようになっている。
【００２６】
次にこのような構成からなる本実施の形態の作用について説明する。
【００２７】
まずフードカッター１０は、第１刃部１２と第２刃部２２とが離間した開位置を取る。
【００２８】
次に第１部材１１の押圧面１５と第２部材２１の押圧面２５を互いに押圧することにより、フードカッター１０が閉じる。
【００２９】
この場合、まず第１部材１１の第１突起１３と第２部材２１の第２突起２３が当接して、第１刃部１２と第２刃部２２を刃部重なり位置関係を持つよう案内する。この場合、図１において第１刃部１２は、第２刃部２２の下方に入る。
【００３０】
同時に第１ガイド１４と第２ガイド２４が刃部重なり位置関係とは逆のガイド重なり位置関係、すなわち第１ガイド１４が第２ガイド２４の上方にある。
【００３１】
この場合、第１ガイド１４と第２ガイド２４のガイド重なり位置関係は、第１刃部１２と第２刃部２２の刃部重なり位置関係と逆になるため、第１ガイド１４と第２ガイド２４を係合させることによって、第１刃部１２と第２刃部２２とを互いに密接することができる。
【００３２】
このため、フードカッター１０を用いて、幼児用食材、例えば肉、野菜、めん類等を第１刃部１２と第２刃部２２とにより容易にカットすることができる。
【００３３】
この場合、第１ガイド１４と第２ガイド２４を係合させることによって、第１刃部１２と第２刃部２２とが互いに密接するので、第１刃部１２と第２刃部２２の切れ味を高めることができる。
【００３４】
フードカッター１０は、使用後に洗浄されるが、この際、フードカッター１０はヒンジ部等の複雑な構造をもたないため、フードカッター１０を容易かつ簡単に洗浄することができる。
【００３５】
さらにまた、フードカッター１０は合成樹脂を用いて一体成形されている。この場合、フードカッター１０は上述のように簡単な構造をもつため、例え成形精度が低くても、第１ガイド１４と第２ガイド２４を係合させることにより、第１刃部１２と第２刃部２２とが互いに密接し、支障なく食材をカットすることができる。
【００３６】
以上のように本実施の形態によれば、フードカッター１０の第１刃部１２と第２刃部２２とで食材をカットする際の切れ味を向上させるができ、かつ容易に洗浄することができる。さらに構造が簡単なため、フードカッター１０の成形精度が低くても第１ガイド１４と第２ガイド２４を係合させることにより、第１刃部１２と第２刃部２２とによって、支障なく食材をカットすることができる。
【符号の説明】
【００３７】
１０  フードカッター
１１  第１部材
１２  第１刃部
１３  第１突起
１４  第１ガイド
１５  第１押圧面
２１  第２部材
２２  第２刃部
２３  第２突起
２４  第２ガイド
２５  第２押圧面
３０  連結部材
【図１】
0006490405.tif 000002
【図２】
0006490405.tif 000003
【図３】
0006490405.tif 000004
【図４】
0006490405.tif 000005
【図５】
0006490405.tif 000006
【図６】
0006490405.tif 000007
【図７】
0006490405.tif 000008
【図８】
0006490405.tif 000009